(57)【特許請求の範囲】
【請求項１】
複数の板状体を重ねた状態を保持させる仮締結具において、
後端に後方雄ねじ部を有する内軸体と、第１貫通孔により貫通された本体と、後端回動部と、付勢手段とからなり、前記複数の板状体が有する整合した孔に、前記内軸体を挿し込ませて後退させ、前記複数の板状体を仮締結させる仮締結具であって、
前記後端回動部が、第２貫通孔により前後に貫通された陥没部を有する先方部材と、第３貫通孔により貫通された筒部と後方ナットとを有する後方部材とからなり、
第１貫通孔と第２貫通孔と第３貫通孔の軸芯を一致させるように、前記陥没部が前記本体に固着され、前記筒部が第２貫通孔に挿し込まれると共に前記陥没部の中で抜け止めされ、
前記後方部材が前記先方部材に対して回動可能に連結され、
第３貫通孔の内面が、雌ねじ部を有し、
前記雌ねじ部と前記後方雄ねじ部との螺合が解除され前記内軸体が前進された状態で、前記付勢手段が前記後方雄ねじ部の後端を前記雌ねじ部の前端に当接させ、前記後方部材が前記先方部材に対して揺動可能とされている、
ことを特徴とする仮締結具。
【請求項２】
前記後方雄ねじ部が、後端に雄ねじ部よりも細径の軸部を備え、
前記軸部が、第３貫通孔に挿し込まれた状態とされている、
ことを特徴とする請求項１に記載の仮締結具。
【請求項３】
前記筒部が第２貫通孔に挿し込まれた状態で、前記先方部材の後端面と前記後方ナットの間に位置する筒部外面が凹部とされ、前記凹部に皿ばねが装着されている、
ことを特徴とする請求項１又は請求項２に記載の仮締結具。
【請求項４】
前記凹部には、複数の皿ばねが装着され、各々の付勢力が異なっている、
ことを特徴とする請求項３に記載の仮締結具。
【請求項５】
前記仮締結具が、先端から中央部にかけて軸方向に分割されると共に先端部が張出挟持部とされた分割片を有する細筒体を備え、
前記内軸体が、前記後方雄ねじ部の先方に、軸部本体と先方に向けて拡径された先端傾斜部とを有し、
前記複数の板状体が有する整合した孔に、前記細筒体を挿し込ませ、前記内軸体の後退に連れて前記細筒体を後退させて、前記分割片を拡開させて仮締結させる仮締結具であって、
前記後方雄ねじ部と前記雌ねじ部との螺合を解除させた状態において、
前記雌ねじ部の前端の位置が、前記先端傾斜部の後端面周囲と前記細筒体の先端面周囲とを接しさせない位置とされている、
ことを特徴とする請求項１乃至請求項４のいずれか一項に記載の仮締結具。
【請求項６】
前記先方部材と前記後方部材のいずれの断面形状も正六角形状とされ、
前記後方部材の正六角形状の外径が、前記先方部材の正六角形状の外径より小さい、
ことを特徴とする請求項１乃至請求項５のいずれか一項に記載の仮締結具。
【発明の詳細な説明】
【技術分野】
【０００１】
本発明は、複数の板状体が重ねられた状態を保持させる仮締結具に関する。具体的には、重ねられた板状体が有する整合された孔に仮締結具の軸体を挿入させ、軸体の先方と後方で板状体を挟持して仮締結させる仮締結具に関する。より詳細には、仮締結具の被回動部の慣性モーメントが小さく、駆動力伝達部を被回動部に装着させやすく、作業効率がよく、引き抜きやすいと共に仮締結状態がゆるみにくい仮締結具に関する。
【背景技術】
【０００２】
仮締結具とは、複数の板状体を組立てて全体の形状とする前に、一時的に組立てるために使用され、組立てが完了されてからは撤去され、再利用される締結具である。例えば、航空機の翼のように大きな構造物を組み立てる場合には、各構成部品が所定の位置となるように、重ね合わせた板状体に予め穿孔された孔を位置合わせし、孔に仮締結具を挿入させ締結させて仮組立てをする。そして、本締結用に使用される孔が穿設され、孔にリベット軸体が挿し込まれて塑性変形されて、リベット接合がされ本締結がされる。本締結がされてから、孔から仮締結具が引き抜かれ、その孔にリベット軸体が挿入されリベット接合がされて組立てられた状態とされる。【０００３】
効率的に仮締結作業ができるように、従来から、板状体の一方の側から、仮締結させることができる仮締結具が提供されている。仮締結具には、孔に挿し込んだ仮締結具をなす細筒体が、後方から挿し込まれた内軸体により拡開されるという仮締結形式、又は前方から引き込まれた内軸体により拡開されるという仮締結形式がある。また細筒体の先端部に形成させた張出挟持部により板状体を前後に挟持させる仮締結形式、又は細筒体の周面摩擦により位置保持させる仮締結形式がある。【０００４】
本発明の仮締結具は、前方から後方に内軸体を引き込ませて、板状体を締結させる仮締結形式に属する。好適には、仮締結具は、コレットと称されている先方が分割された細筒体と、マンドレルと称されている細筒体の中に挿通される内軸体と、内軸体を進退させる被回動部とを備え、細筒体の先端部外面に形成させた張出挟持部と仮締結具の本体の前端面とにより板状体を挟持させて締結させる仮締結形式に属しているが、これに限定されない。【０００５】
従来から、締結作業の効率を向上させるために、仮締結具の後端部には被回動部が備えられ、動力式の回動工具の駆動力伝達部により被回動部が回動されて、仮締結具の仮締結又は仮締結の解除がされている。【０００６】
特許文献１には、内軸体を進退させる第１のナットと、細筒体を進退させる第２のナットとを備えた仮締結具の技術が開示されている。特許文献１に記載の技術によれば、仮締結具の後端にある第１のナットを回動させることにより、内軸体を細筒体に対して進退させている。また、内軸体の後退により先方部が拡開された細筒体は、本体側面の第２のナットが回動されることにより、内軸体と一体に進退される。【０００７】
この特許文献１に記載の技術によれば、仮締結をさせるためには、内軸体を進退させるための第１のナットだけでなく、細筒体を進退させるための第２のナットを、夫々別個に回動させる必要がある。また第１のナットと第２のナットの外径が異なっているため、回動工具の駆動力伝達部を交換する必要もあり、締結作業が煩雑であった。更に、仮締結具本体の外面が第２のナットとされているため、慣性モーメントが大きく、駆動力の大きな回動工具が必要であるという課題があった。【０００８】
特許文献２には、被回動部とされたボルト軸を回動させることにより、ボルト軸に螺合される雌ねじ部を有する内軸体を進退させる仮締結具の技術が開示されている。しかし、特許文献２に記載の仮締結具では、回動工具により回動される被回動部がボルト軸全体とされているため、慣性モーメントが大きく、駆動力の大きな回動工具が必要であるという課題があった。【０００９】
特許文献３には、本体部の後端に備えられた長ナットが被回動部とされ、その長ナットを回動させることにより内軸体を進退させる仮締結具の技術が開示されている。しかし、特許文献３に記載の技術による場合も、長ナットの慣性モーメントが大きく、駆動力の大きな回動工具が必要であるという課題があった。【００１０】
また、長ナットを回動させるためには、長ナットの軸芯の後端に穿孔された多角形形状の長孔に、ナットドライバーの先端軸部を、軸芯後方から真っ直ぐに挿し込む必要があり、長ナットの長孔に回動工具の駆動力伝達部をなす先端軸部を装着させにくいという課題があった。【００１１】
上記の先行技術文献に記載されたいずれの仮締結具も、被回動部の慣性モーメントが大きいため、大きな駆動力を必要としていた。駆動力の大きな回動工具は、工具自体も大きくなり作業性が悪くなることに加えて、バッテリー電源により駆動させる場合には、一つのバッテリーで締結させることのできる仮締結具の数が少なくなり、バッテリーの交換回数が増えるという課題もあった。【００１２】
また、特許文献２及び特許文献３に記載の技術による場合には、回動工具の駆動力伝達部を仮締結具の被回動部に装着させる際に、ボルト軸の頭部又は長ナットとされた被回動部に回動工具の駆動力伝達部を、被締結具の軸芯後方から真っ直ぐに装着させなければならず、駆動力伝達部を装着させにくいという課題があった。
【先行技術文献】
【特許文献】
【００１３】
特許文献１：米国特許６０５６２８３号公報
特許文献２：国際公開２０１９−０７３３１６号公報
特許文献３：米国特許公開２０１８−００１７０９４号公報
【発明の概要】
【発明が解決しようとする課題】
【００１４】
そこで、本願の発明者は、仮締結具の被回動部の慣性モーメントが小さく、駆動力伝達部を被回動部に装着させやすく、作業効率がよく、引き抜きやすいと共に仮締結状態がゆるみにくい仮締結具を提供することを課題とした。なお、理解を容易にするため、以下、仮締結具の先方側を前側とし、回動部側を後側とも表している。
【課題を解決するための手段】
【００１５】
本発明の第１の発明は、複数の板状体を重ねた状態を保持させる仮締結具において、後端に後方雄ねじ部を有する内軸体と、第１貫通孔により貫通された本体と、後端回動部と、付勢手段とからなり、前記複数の板状体が有する整合した孔に、前記内軸体を挿し込ませて後退させ、前記複数の板状体を仮締結させる仮締結具であって、前記後端回動部が、第２貫通孔により前後に貫通された陥没部を有する先方部材と、第３貫通孔により貫通された筒部と後方ナットとを有する後方部材とからなり、第１貫通孔と第２貫通孔と第３貫通孔の軸芯を一致させるように、前記陥没部が前記本体に固着され、前記筒部が第２貫通孔に挿し込まれると共に前記陥没部の中で抜け止めされ、前記後方部材が前記先方部材に対して回動可能に連結され、第３貫通孔の内面が、雌ねじ部を有し、前記雌ねじ部と前記後方雄ねじ部との螺合が解除され前記内軸体が前進された状態で、前記付勢手段が前記後方雄ねじ部の後端を前記雌ねじ部の前端に当接させ、前記後方部材が前記先方部材に対して揺動可能とされていることを特徴としている。【００１６】
本発明の第１の発明の仮締結具によれば、回動工具に回動させる被回動部である後端回動部を、筒部と後方ナットとを有する後方部材とし、後方部材に連結された先方部材を仮締結具の本体に装着させる部材とし、後方部材を本体に回動可能に装着させている。内軸体を進退させるには、内軸体の後方雄ねじ部と螺合される雌ねじ部を有する後方ナットだけを回動させればよいため、被回動部の慣性モーメントが小さくなる。【００１７】
また、内軸体が前進され、内軸体の後方雄ねじ部と後方部材の雌ねじ部の螺合が解除された状態で、付勢手段により後方雄ねじ部の後端を後方部材の雌ねじ部の前端に当接させている。そのため、板状体の孔に仮締結具を挿し込んでから後方部材を回動させるだけで、空回りすることなく内軸体が後退されるため仮締結作業の作業性が良い。【００１８】
一方、後方部材を反対方向に回動させると、内軸体の後方雄ねじ部と後方部材の雌ねじ部の螺合が解除され、後方雄ねじ部のねじ山の後端部が雌ねじ部のねじ山の前端部から外れ、更に雌ねじ部を一周回動させると、付勢手段により雌ねじ部のねじ山に押し付けられていた後方雄ねじ部のねじ山の後端部が、雌ねじ部のねじ山から外れて隣のねじ山に衝突し、小さな金属音と振動が発生されるため、仮締結が解除されたことが判断できる。【００１９】
また、仮締結が解除された状態では、付勢手段により後方雄ねじ部の後端部が後方部材の雌ねじ部のねじ山に当接されているだけで、後方雄ねじ部のねじ山の後端部と雌ねじ部のねじ山の前端部とが螺合された状態となっていないため、先方部材に対して後方部材が側方に揺動可能な状態とされる。【００２０】
本発明の第１の発明によれば、被回動部をなす後方ナットの慣性モーメントを小さくできるため、小さな回動工具により仮締結させることができると共に、電動工具を使う場合であってもバッテリーの交換回数が少なくなる。また、後方ナットを回動させて仮締結させる際に空回りを発生させず、後方ナットを逆方向に回動させて仮締結を解除させる際には仮締結が解除されたことが容易に判断できて作業性が良い。更に、後方ナットが側方に揺動されるため、やや斜め後方からでも、後方ナットに回動工具の駆動力伝達部を装着させやすく、作業効率がよいという従来にない有利な効果を奏する。【００２１】
本発明の第２の発明は、第１の発明の仮締結具において、前記後方雄ねじ部が、後端に雄ねじ部よりも細径の軸部を備え、前記軸部が、第３貫通孔に挿し込まれた状態とされていることを特徴としている。第２の発明の仮締結具によれば、後方雄ねじ部の端部に備えられた細径の軸部が、第３貫通孔に挿し込まれた状態とされているため、仮締結を解除させた状態で、内軸体の軸芯が第３貫通孔の軸芯からずれることがなく、後方雄ねじ部が雌ねじ部に円滑に螺合され仮締結の作業性が良いと共にねじ山が潰れにくいという効果を奏する。【００２２】
本発明の第３の発明は、第１又は第２の発明の仮締結具において、前記筒部が第２貫通孔に挿し込まれた状態で、前記先方部材の後端面と前記後方ナットの間に位置する筒部外面が凹部とされ、前記凹部に皿ばねが装着されていることを特徴としている。【００２３】
仮締結させるように後方ナットを回動させると、内軸体が後方に引き寄せられるに連れて、後方ナットが前進し、後方部材をなす筒部が先方部材の陥没部の中に侵入され、先方部材の後端面と後方ナットの前端面との間の凹部の幅が小さくなる。仮締結された状態では、凹部の幅が小さくなり、凹部に装着された皿ばねに押圧力が発生されている。【００２４】
組み立てられた複数の板状体の隙間をなくすために、シール材を間に挟んで板状体を重ねて仮締結させることがある。第３の発明によれば、シール材の収縮により、複数の板状体の先方面と後方面との距離がかわることがあっても、押圧力によって薄くされていた皿ばねが厚くなることによって、板状体の先方面と後方面とを仮締結具が挟んだ状態を維持させ、仮締結状態がゆるまないという従来にない有利な効果を奏する。【００２５】
本発明の第４の発明は、第３の発明の仮締結具において、前記凹部には、複数の皿ばねが装着され、各々の付勢力が異なっていることを特徴としている。第４の発明によれば、付勢力が異なる複数の皿ばねが凹部に装着されているため、シール材の収縮などにより、複数の板状体の先方面と後方面との距離がかわった場合には、付勢力の大きな皿ばねの厚さが厚くなり、複数の皿ばねの外観の状態から仮締結の状態を容易に判別できるという有利な効果を奏する。【００２６】
本発明の第５の発明は、第１から第４の発明の仮締結具であって、前記仮締結具が、先端から中央部にかけて軸方向に分割されると共に先端部が張出挟持部とされた分割片を有する細筒体を備え、前記内軸体が、前記後方雄ねじ部の先方に、軸部本体と先方に向けて拡径された先端傾斜部とを有し、前記複数の板状体が有する整合した孔に、前記細筒体を挿し込ませ、前記内軸体の後退に連れて前記細筒体を後退させて、前記分割片を拡開させて仮締結させる仮締結具であって、前記後方雄ねじ部と前記雌ねじ部との螺合を解除させた状態において、前記雌ねじ部の前端の位置が、前記先端傾斜部の後端面周囲と前記細筒体の先端面周囲とを接しさせない位置とされていることを特徴としている。【００２７】
本発明の第５の発明によれば、仮締結具は、内軸体のほかに、先端から中央部にかけて軸方向に分割された分割片を有する細筒体を備え、内軸体の進退に連れて細筒体を進退させて、仮締結又は仮締結の解除をさせる。内軸体が後退されると、その後方に向けて縮径された傾斜部により細筒体の分割片を拡開させる。分割片が拡開されると、細筒体の先端周囲の張出挟持部が側方に張出され、板状体に面した張出挟持部と板状体に面した仮締結具の本体とで板状体を挟んで仮締結させる。【００２８】
第５の発明によれば、後方雄ねじ部と雌ねじ部との螺合を解除させると、雌ねじ部の前端の位置が、先端傾斜部の後端面周囲と細筒体の先端面周囲とを接しさせない位置とされているため、細筒体の先端周囲の張出挟持部が側方に拡開された状態とならない。これにより、内軸体により細筒体の張出挟持部を拡開させて仮締結させる場合に、板状体の孔に張出挟持部が引っ掛りにくく、板状体がなす孔から仮締結具を引き抜きやすいという効果を奏する。【００２９】
本発明の第６の発明は、第１から第５の発明の仮締結具において、前記先方部材と前記後方部材のいずれの断面形状も正六角形状とされ、前記後方部材の正六角形状の外径が、前記先方部材の正六角形状の外径より小さいことを特徴としている。【００３０】
第６の発明によれば、後端回動部をなす先方部材と後方ナットのいずれの断面も正六角形断面とされ、先方部材の外径が後方ナットの外径より大きくされている。一方、回動工具の駆動力伝達手段として、先方に断面形状が正六角筒体とされた非回動筒体を配し、非回動筒体と同一軸とし非回動筒体の後方内部に、非回動筒体よりも断面形状が小さい正六角形形状の回動筒体を配しておく。そうすると、回動工具の先方の非回動筒体を先方部材に装着させ、仮締結具の回動を抑制させた状態で、後方内部の回動筒体を後方ナットに装着させ回動させて、容易且つ効率的に仮締結作業をすることができるという効果を奏する。
【発明の効果】
【００３１】
・本発明の第１の発明によれば、小さな回動工具により仮締結させることができると共に、電動工具を使う場合であってもバッテリーの交換回数が少なくなる。また、後方ナットが側方に揺動されるため、やや斜め後方からでも、後方ナットに回動工具の駆動力伝達部を装着させやすく、作業効率がよいという従来にない有利な効果を奏する。
・本発明の第２の発明によれば、後方雄ねじ部が雌ねじ部に円滑に螺合され仮締結の作業性が良いと共にねじ山が潰れにくいという効果を奏する。
・本発明の第３の発明によれば、板状体の先方面と後方面とを仮締結具が挟んだ状態を維持させ、仮締結状態がゆるまないという従来にない有利な効果を奏する。【００３２】
・本発明の第４の発明によれば、複数の皿ばねの外観の状態から仮締結の状態を容易に判別できるという有利な効果を奏する。
・本発明の第５の発明によれば、内軸体により細筒体の張出挟持部を拡開させて仮締結させる場合に、板状体の孔に張出挟持部が引っ掛りにくく、板状体がなす孔から仮締結具を引き抜きやすいという効果を奏する。
・本発明の第６の発明によれば、回動工具の先方の非回動筒体を先方部材に装着させ、仮締結具の回動を抑制させた状態で、後方内部の回動筒体を後方ナットに装着させ回動させることにより、容易且つ効率的に仮締結作業をすることができるという効果を奏する。
【図面の簡単な説明】
【００３３】
【図１】構成部品と全体構成の説明図（実施例１）。
【図２】仮締結具の断面図による説明図（実施例１）。
【図３】仮締結具の装着工程の説明図（実施例１）。
【図４】後端回動部の揺動状態の説明図（実施例１）。
【図５】皿ばねを装着させた仮締結具の説明図（実施例１）。
【図６】複数の皿ばねを装着させた仮締結具の説明図（実施例２）。
【図７】後方雄ねじ部の他の形態を示す説明図（その他）。
【発明を実施するための形態】
【００３４】
仮締結具をなす後端回動部を先方部材と後方ナットとから構成し、先方部材に対して後方ナットを回動可能に連結させ、先方部材を仮締結具の本体と共回りが抑制されるように固着させ、後方ナットを先方部材に対して軸芯に対して側方に揺動可能とさせた。これにより後端回動部に対して軸芯後方からやや斜めからでも回動工具の回動部を装着容易にさせた。
【実施例１】
【００３５】
実施例１においては、仮締結具１を、図１から図５を参照して説明する。図１（Ａ）図は、仮締結具の組立て前の構成部品の斜視図と構成部品の位置関係を示している。図１（Ｂ）図は、仮締結具の一部が組立てられた状態を説明する斜視図を示している。図１（Ｃ）図は、仮締結具全体が組立てられた状態を説明する斜視図を示している。【００３６】
理解を容易にするために、図２、図５では仮締結具の本体を一体に表し、図３では本体と後方回動部の先方部材とを一体に表した仮締結具１の断面図を示している。図２（Ａ）図は、各構成部品を組立てた状態の断面図を示している。図２（Ｂ）図は、仮締結具１を板状体の孔から引抜く際に、細筒体が拡開されることがなく、引き抜かれることを説明する説明図を示している。図３の各々の図は、仮締結の作業工程を説明する説明図を示している。図４の各々の図は、後端回動部の揺動状体の説明図を示している。図５は、皿ばねを装着させた仮締結具の説明図を示している。【００３７】
仮締結具１は、細筒体１０と、内軸体２０と、仮締結具の本体３０と、後端回動部４０と、付勢手段５０とを含んでいる。（図２（Ａ）図、図２（Ｂ）図参照）。細筒体１０は、先端から中央部にかけて軸方向に６つに分割された分割片１１を備え、各々の分割片の先端部には外径方向に張り出した張出挟持部１２が備えられている（図１（Ａ）図参照）。【００３８】
仮締結具１の各々の分割片１１は、細筒体の中央部から張出挟持部１２にかけて外面が切削されることにより、薄肉化された先窄まり部１３が形成されている。細筒体の内面１４は、一定の内径とされると共に、軸部本体２１の外径と同じ径とされている（図２（Ａ）図参照）。細筒体１０は、内軸体２０の軸部本体２１の周りに装着され、内軸体２０が細筒体１０の中を前後に摺動可能とされている。また、細筒体１０の後端部には、外径方向に張り出された係止鍔部１５が備えられている。【００３９】
内軸体２０は、一定の外径、かつ、細筒体の内径と同じ径とされた軸部本体２１と、軸部本体から先方に向けて拡径された先端傾斜部２２と、後方雄ねじ部２３とからなっている（図２（Ａ）図参照）。軸部本体２１の後端には雄ねじ部２１１が形成され、後方雄ねじ部２３の前端には内部に雌ねじ穴２３１を有する六角部２３２が形成され、後方雄ねじ部２３のねじ部の後端には細径の軸部２３３が形成されている（図１（Ａ）図参照）。軸部本体２１の後端の雄ねじ部２１１が、後方雄ねじ部２３の雌ねじ部２３１に螺合され、内軸体の軸部本体２１は、細筒体１０と、コイルばねからなる付勢手段５０とを貫通して、内軸体２０が一体化される（図１（Ｂ）図参照）。【００４０】
先端傾斜部２２の形状は、軸部本体２１の前端部から、先方にかけて拡径される傾斜部２２１が形成され、その先に、傾斜部２２１の拡径された先方の径と同じ径で、かつ、軸部本体２１の軸と平行に伸びる太径部２２２が形成されている（図２(Ａ)図参照）。太径部２２２の先には、後端面が軸と直交される後端面２２３を有する先窄まり形状とされた略円錐台形状の先端部２２４が形成されている。内軸体２０が引き込まれて後端面２２３が細筒体１０の先端に接すると、引き込みが停止される。分割片１１が所定の拡開角度以上に拡開されることがないため残留歪が生じにくく、細筒体の変形を抑制させている。【００４１】
先端部２２４の形状は、先端にかけて傾斜角度が異なる二段の先窄まり形状に形成され、先方がより窄まった形状とされている。また、先方の先窄まり部には溝部が形成され被回動係部２２５とされている。この被回動係部には、仮締結具を組立・分解させる工具の係部が装着される。【００４２】
仮締結具の本体３０は、先端部と後端部に外周面雄ねじ部を有する本体部３１と蓋部材３２とからなっている（図１（Ａ）図，図１（Ｂ）図参照）。蓋部材３２は、先方に前後に貫通された貫通孔３２１を有すると共に後方内周面雌ねじ部を有している。本体部３１の先端側の外周面雄ねじ部３１１と蓋部材３２の後方内周面雌ねじ部とが螺合固着される。蓋部材３２の先方の貫通孔３２１と本体部３１を貫通した孔３１３が、本体を前後に貫通した孔とされ第１貫通孔３３とされる（図２（Ａ）図参照）。本体部３１を貫通した孔３１３は六角孔とされている。【００４３】
内軸体２０と細筒体１０と付勢手段５０とが一体とされた状態で、先方側が本体３０の先端面から突き出されるように本体に後方から挿し込まれる（図１（Ｂ）図参照）。後方雄ねじ部２３の前端の六角部２３２が、本体を貫通した孔３１３の六角孔と整合し、共周りを抑制させる共周り抑制手段とされている。細筒体１０の係止鍔部１５の外径が、蓋部材３２の先方の貫通孔３２１の内径よりも大きくされ、細筒体１０が本体３０から前方に抜け出ないようにされている。【００４４】
後端回動部４０は、抜止部材４１と先方部材４２と皿ばね４３と後方部材４４とからなっている（図１（Ａ）図，図１（Ｂ）図参照）。先方部材４２は前方が開放された陥没部４２１と前後に貫通された孔４２２を有し、陥没部の内面には本体の外周面雄ねじ部３１２に装着される雌ねじ部４２３が形成されている。先方部材を貫通させる孔が、第２貫通孔４５とされる。後方部材４４は六角形状をなす後方ナット４４１とその前方に突出された筒部４４２とを有し、前後に貫通された孔４４３を有している。孔４４３は、内部に雌ねじが形成された雌ねじ部４４４とされ、その雌ねじ部の先方は雌ねじが欠如された雌ねじ部４４４よりも大径の貫通孔４４５とされている（図２（Ａ）図参照）。筒部と後方部材本体とを貫通させる孔が、第３貫通孔４６とされる。筒部４４２の先端周囲には、抜止部材４１を装着させる溝部４４６が形成されている（図１（Ａ）図参照）。【００４５】
後端回動部４０は、後方部材の筒部４４２に皿ばね４３が装着された状態で、先方部材４２の第２貫通孔４５に挿し込まれ、先方部材の陥没部４２１の前方から抜止部材４１をなすＣリングが抜止部材として押し込まれ、前記溝部４４６に係止され、先方部材４２と皿ばね４３と後方部材４４とが一体化される（図１(Ａ)図参照）。先方部材４２が後方部材４４に装着された状態で。先方部材４２の後端面と後方部材４４の先端面との間の筒部４４２の周囲が凹部４７とされる（図１(Ｂ)図参照）。凹部４７の幅は皿ばね４３の厚さよりも大きくされ、仮締結がされていない状態では、後方部材４４が先方部材４２に対して、軸芯の側方に揺動される状態とされている（図４（Ａ）図参照）。【００４６】
本体３０の第１貫通孔３３に、細筒体１０と一体化させた内軸体２０が後方から挿し込まれ、内軸体２０の後方の細径の軸部２３３が、後方部材４４の中の雌ねじ部４４４に位置され（図２（Ａ）図参照）、雌ねじ部４４４のねじ山の先端と、後端雄ねじ部のねじ山の後端部２３４とが当接された状態で、本体の後端部の外周面雄ねじ部３１２（図１(Ａ)図参照）に、後端回動部の先方部材の雌ねじ部４２３が螺着されて、仮締結具が一体化される。仮締結具１が一体化された状態において、第１貫通孔３３と、第２貫通孔と４５、第３貫通孔４６との軸心が一致されている（図２（Ａ）図参照）。【００４７】
ここで図２（Ａ）図の断面図を参照して、細筒体１０が内軸体２０と摺動されるように組立てられた、軸部６０が細い仮締結具１を説明する。後方雄ねじ部２３の後端部２３４のねじ山は、後端回動部の後方部材４４の雌ねじ部４４４のねじ山と外れた状態で、相互のねじ山が接した状態とされている。相互のねじ山が外れた状態で、付勢手段５０をなすコイルばねが内軸体２０を後方に付勢すると共に、細筒体１０を前方に付勢した状態とさせている。この状態で重ねられた板状体の孔から引き抜くのであれば、細筒体１０の張出挟持部１２が拡開されていないため、容易に後方に引き抜くことができる（図２（Ｂ）図参照）。【００４８】
ところが仮締結具を保管している際又は引き抜く前に、後端回動部４０が内軸体２０に僅かに回動された場合には、相互のねじ山が引っ掛かった状態になり、内軸体２０が後方に引き込まれ、張出挟持部が僅かに広がった状態となる。そうすると、板状体の孔１０１と仮締結具の軸部６０の遊びが小さいために（図２（Ｂ）図参照）、拡開された細筒体の張出挟持部１２の周囲が孔１０１の周囲に引っ掛かりやすくなり、相互のねじ山の引っ掛かりを外さないと、挿し込みにくく又は引き抜きにくくなる。【００４９】
仮締結具１は、後端回動部４０を回動させて仮締結が解除された状態で、付勢手段５０をなすコイルばねが細筒体を前方に付勢させ、内軸体２０を後方に付勢させ、細筒体１０が本体３０の中で前後方向に遊ぶことがないようにされている。そして、先端傾斜部２２の後端面周囲２２６と、細筒体１０の先端面周囲１６とが接することがないように所定の距離α離間させるようにする、相互のねじ山が引っ掛かりにくくなり好適である（図２（Ａ）図参照）。所定の距離αは限定されないが、隣り合うねじ山の間隔程度が好適である。【００５０】
後端回動部４０が回動されて仮締結が解除されてから、前記相互のねじ山が外れてから後端回動部４０が一周回動すると、相互のねじ山が付勢手段５０により押し付けられているため、外れたねじ山が一つ分だけ戻り、ねじ山とねじ山が衝突する金属音が発生される。また回動工具に外れた感触が伝わり、内軸体の後方雄ねじ部２３と、第３貫通孔４６の内面の雌ねじ部４４４が、完全に外れたことが判別される。【００５１】
図３を参照して、仮締結具１の作業工程を説明する。なお、図３においては、理解を容易にするために、先端傾斜部の後端面周囲２２６と細筒体の先端面周囲１６とが所定の距離α離間した状態の仮締結具により、作業工程を説明する。まず、内軸体２０を先方に進出させた状態で、重ね合わせた板状体１００の孔に、仮締結具１の軸部６０をなす内軸体２０と細筒体１０を挿し込み、本体の先端面３４を板状体に当接させる（図３（Ａ）図参照）。次に、正六角形状とされた先方部材４２又は本体３０をスパナ１２０（図４（Ｃ）図参照）等で保持させ本体の回動を規制させた状態で、後端回動部４０を回動工具１１０（図４（Ｃ）図参照）により回動させる（図３（Ｂ）図参照）。【００５２】
そうすると、本体３０と共回りされない状態で、内軸体２０が本体の第１貫通孔３３の中を後退される。それに連れて、先端傾斜部の後端面周囲２２６が細筒体の先端面周囲１６と接し、内軸体２０の後退につれて細筒体１０も後退されるようになる。併せて、細筒体１０の中に先端傾斜部２２の一部が引き込まれ、各々の分割片１１が拡開されて、張出挟持部１２が孔の周縁部１０２に引っ掛かる状態となる（図３（Ｂ）図参照）。【００５３】
更に、後端回動部４０を回動させると、張出挟持部１２が板状体１００の面１０３と当接され、細筒体１０の後退が規制される（図３（Ｃ）図参照）。この状態から更に後端回動部４０を回動させると、後端回動部をなす後方ナット４４１が前進され、先方部材４２と後方ナット４４１との間隔が狭くなり、凹部４７に装着された皿ばね４３が押圧される。そして、細筒体１０の中に先端傾斜部２２が引き込まれ、各々の分割片１１が完全に拡開され、張出挟持部１２の後端面と本体の先端面３４との間で、板状体１００が仮締結された状態とされる（図３（Ｄ）図参照）。【００５４】
仮締結を解除させる際には、仮締結をさせる場合と反対方向に後端回動部４０を回動させる（図３（Ｅ）図参照）。そうすると、先端傾斜部２２が細筒体１０の中に嵌まり込んだ状態のまま、内軸体２０と細筒体１０が一体に進出される。また、後方ナット４４１と先方部材４２との間隔が広がると共に、凹部４７に装着された皿ばね４３の押圧も解除される。【００５５】
更に、後端回動部４０を回動させると、細筒体１０の後端部にある係止鍔部１５が本体の先端部の内面３５に接して、細筒体１０の前進が規制され、内軸体２０のみが進出できる状態となる（図３（Ｆ）図参照）。この状態から更に後端回動部４０を回動させると、内軸体２０のみが進出され、先端傾斜部２２が細筒体１０の中から外れて、各々の分割片が拡開される前の状態に弾性復元される。【００５６】
そして、後方雄ねじ部２３と後端回動部の雌ねじ部４４４との螺合が解除されて、仮締結が解除された状態に復帰される（図３（Ａ）図参照）。そうすると、先端傾斜部の後端面周囲２２６と細筒体の先端面周囲１６とが接しない状態となり、前記軸部６０の径が板状体の孔１０１の径（図２（Ｂ）図参照）よりも窄まり、板状体の孔から容易に引き抜くことができる。【００５７】
ここで後方ナット４４１への回動工具１１０の装着方法について、図４を参照して説明する。図４（Ａ）図は、後方ナットが揺動される状態を示している。図４（Ｂ）図は、ソケット部が後方ナットに装着される状態を示している。図４（Ｃ）図は、後方ナットが回動される状態を示している。図４の各図では内軸体２０の軸芯（Ａ）を二点鎖線で示し、後方ナット４４の軸芯（Ｂ）を鎖線で示し、ソケット部１１１の軸芯（Ｃ）を細線で示している。【００５８】
後方部材４４は筒部４４２が先方部材４２に挿し込まれ、抜止部材４１により先方部材から抜け止めされ、付勢部材５０（図２（Ａ）図参照）により後方へ付勢されている内軸体の後方雄ねじ部２３に押し付けられているだけなので、後方部材をなす後方ナット４４１の軸芯（Ｂ）は本体３０の軸芯（Ａ）に対して、側方に揺動可能とされている（図４（Ａ）図参照）。【００５９】
更に、後方ナット４４１に装着される回動工具１１０のソケット部１１１の内径は後方ナット４４１の外径よりも僅かに大きいため、ソケット部１１１の軸芯（Ｃ）は後方ナットの軸芯（Ｂ）よりも側方にずれていても後方ナット４４１に装着可能とされる（図４（Ｂ）図参照）。本体３０の軸芯の真っ直ぐ後方からずれた角度からでも後方ナット４４１にソケット部１１１が装着可能であるため、装着作業が容易であり、仮締結作業の作業性がよい。なお、後方ナット４４１が内軸体の後方雄ねじ部２３に螺合されると後方ナット４４１の軸芯（Ｂ）は、本体３０の軸芯（Ａ）に一致する（図４（Ｃ）図参照）。【００６０】
次に、複数の板状体１００が重ねられた状態を保持させている状態で、シール材１０４が収縮された状態を、図５を参照して説明する。図５（Ａ）図は、仮締結がされた直後の状態を示している。図５（Ｂ）図は、シール材１０４の収縮に伴って皿ばねの厚みが厚くなった状態を示している。【００６１】
後方ナット４４１と内軸体２０とが螺合され、仮締結具１が締結された直後においては、凹部４７の間隔が狭くなり、その間に装着されている皿ばね４３が押圧されて薄くなった状態となっている（図５（Ａ）図参照）。この状態においては、シール材１０４が収縮されていないため、強く仮締結されており仮締結具１にはゆるみがない状態とされている。【００６２】
しかし、仮締結がされてから時間が経つと、シール材１０４が収縮される。そうすると、皿ばね４３が、シール材１０４の収縮された厚さに相当する寸法だけ厚くなり（図５（Ｂ）図参照）、内軸体２０を後方に向けて付勢させることにより、締結力がゆるまないようにさせる。
【実施例２】
【００６３】
実施例２においては、図６を参照して、凹部４７に付勢力が異なる２枚の皿ばね４８，４９が反対向きに装着された仮締結具２を説明する。図６（Ａ）図は仮締結が解除された状態の凹部の状態を示し、図６（Ｂ）図は仮締結された状態を示し、図６（Ｃ）図は仮締結が僅かにゆるんだ状態を示し、図６（Ｄ）図は仮締結がゆるんだ状態を示している。【００６４】
仮締結具２の後端回動部４０は仮締結が解除された状態では、先方部材４２の後端面と後方ナット４４１の間に位置する凹部４７が広く開き、その間に装着されている付勢力が異なる２枚の皿ばね４８，４９の付勢力も解除され、夫々の厚みが厚くなった状態とされている（図６（Ａ）図参照）。後方ナット４４１が螺合され仮締結具２が締結された状態では、凹部４７の間隔が狭くなり、その間に装着されている付勢力が異なる２枚の皿ばね４８，４９は夫々薄くなった状態となり、最も付勢力が強い状態とされている（図６（Ｂ）図参照）。【００６５】
実施例１で説明したようにシール材１０４（図５(Ｂ)図参照）が収縮した状態では、付勢力が大きな皿ばね４８の付勢力が解除され厚くなった状態とされるが、付勢力が小さい皿ばね４９の付勢力は維持されたままであり、薄い状態のままとされている（図６（Ｃ）図参照）。更にシール材が収縮すると、付勢力が小さな皿ばね４９も厚くなった状態とされ、この状態では仮締結がゆるんだ状態となる（図６（Ｄ）図参照）。【００６６】
実施例２の後端回動部４０は、複数の皿ばね４８，４９の外観の状態から、シール材のゆるんだ状態を判断できるため、目視点検だけで、仮締結具の締結状態を判定できる。【００６７】
（その他）
・各実施例においては、内軸体の後端に細径の軸部を有する例を説明したが、図７に例示するように、後方雄ねじ部２３から細径の軸部を省略しても（図７（Ａ）図参照）、内軸体２０の後端をゆるやかに膨らんだ凸形状２３５としても（図７（Ｂ）図参照）、後方ナット４４１の孔４４３のねじ部が軸部にあたることがないために、より揺動しやすい。図７においては内軸体の軸芯を二点鎖線、後方ナットの軸芯を一点鎖線で示している。
・各実施例においては、後方ナットの後端部の周囲を段落ちさせているが、後方に向けてゆるやかに先窄まりとさせてもよい。
・各実施例においては、後端ナットを六角ナットとして説明したが、断面形状は六角ナットに限定されないことは勿論のことである。【００６８】
・各実施例においては、内軸体の引き込みに連れて細筒体の周囲の分割片を拡開させた実施例を説明したが、本発明はこれに限定されず内軸体を引き込む仮締結具すべてに適用されることは勿論のことである。
・今回開示された実施の形態はすべての点で例示であって、制限的なものではないと考えられるべきである。本発明の技術的範囲は、上記した説明に限られず請求の範囲によって示され、請求の範囲と均等の意味および範囲内でのすべての変更が含まれることが意図される。
【符号の説明】
【００６９】
１，２…仮締結具、
１０…細筒体、２０…内軸体、３０…本体、４０…後端回動部、
５０…付勢手段、６０…軸部、
１１…分割片、１２…張出挟持部、１３…先窄まり部、１４…内面、
１５…係止鍔部、１６…先端面周囲、
２１…軸部本体、２２…先端傾斜部、２３…後方雄ねじ部、
２１１…雄ねじ部、２２１…傾斜部、２２２…太径部、２２３…後端面、
２２４…先端部、２２５…被回動係部、２２６…後端面周囲、
２３１…雌ねじ穴、２３２…六角部、２３３…細径の軸部、
２３４…ねじ山の後端部、２３５…凸形状、
３１…本体部、３２…蓋部材、３３…第１貫通孔、３４…先端面、
３５…内面、
３１１，３１２…外周面雄ねじ部、３１３…孔、３２１…貫通孔、
４１…抜止部材、４２…先方部材、４３…皿ばね、４４…後方部材、
４５…第２貫通孔、４６…第３貫通孔、４７…凹部、４８，４９…皿ばね、
４２１…陥没部、４２２…孔、４２３…雌ねじ部、４４１…後方ナット、
４４２…筒部、４４３…孔、４４４…雌ねじ部、４４５…貫通孔、
４４６…溝部、
１００…板状体、１０１…孔、１０２…周縁部、１０３…面、
１０４…シール材、
１１０…回動工具、１１１…ソケット部、１２０…スパナ
【要約】
【課題】仮締結具の被回動部の慣性モーメントが小さく、駆動力伝達部を被回動部に装着させやすく、作業効率がよく、引き抜きやすいと共に仮締結状態がゆるみにくい仮締結具を提供する。
【解決手段】
後端に後方雄ねじ部を有する内軸体と、第１貫通孔により貫通された仮締結具本体と、後端回動部と、付勢手段とからなる仮締結具において、後端回動部を前後に貫通された陥没部を有する先方部材と、筒部と後方ナットとを有する後方部材とから構成し、先方部材の中に筒部を差し込んで揺動可能に連結させた。また、先方部材の後端面と後方ナットの間に位置する筒部外面を凹部とさせ、凹部に皿ばねを装着させた。
【選択図】図１【図１】
0006656652.tif 000002
【図２】
0006656652.tif 000003
【図３】
0006656652.tif 000004
【図４】
0006656652.tif 000005
【図５】
0006656652.tif 000006
【図６】
0006656652.tif 000007
【図７】
0006656652.tif 000008